(57)【要約】【課題】パッドの周縁から漏出した体液が外側に漏れてしまうことはなく、開口周縁と被覆部との連結を解除するときに不快な音を発することがないパンツ型の着用物品を提供する。【解決手段】パンツ型の着用物品１Ａは、前胴周り域２と股下域３との横方向中央に形成された中央開口９を開閉可能な第１被覆部１０を有し、使い捨てパッド２４が第１被覆部１０の内面に着脱可能に取り付けられる。この物品１Ａでは、中央開口９を画成する両側開口縁１９と第１被覆部１０の自由両側縁２２とが止水性のレールファスナー２５を介して連結可能である。レールファスナー２５は、両側開口縁１９に固着された第１連続エレメント２６と、自由両側縁２２に固着された第２連続エレメント２７と、それらエレメント２６，２７どうしを係脱可能なスライダー２８とから形成されている。【選択図】図１
2005124594.tif 000002
【特許請求の範囲】
【請求項１】
互いに対向する第１および第２胴周り域と、それら胴周り域の間に位置する股下域と、胴周り開口および一対の脚周り開口とを有し、前記第１胴周り域と前記股下域との横方向中央に縦方向へ延びる中央開口が形成され、前記股下域に連なって縦方向へ旋回可能かつ前記中央開口を開閉可能な第１被覆部を備え、体液を吸収保持する使い捨てパッドが前記第１被覆部の内面に着脱可能に取り付けられるパンツ型の着用物品において、
前記中央開口を画成する開口周縁が、前記第１胴周り域に位置して横方向へ延びる上端開口縁と、前記股下域に位置して横方向へ延びる下端開口縁と、前記上下端開口縁間に縦方向へ延びる両側開口縁とから形成され、前記第１被覆部が、前記上端開口縁に並行して横方向へ延びる自由上端縁と、前記下端開口縁に連なって横方向へ延びる固定下端縁と、前記両側開口縁に並行して縦方向へ延びる自由両側縁とを有し、前記両側開口縁と前記自由両側縁とが、止水性のレールファスナーを介して連結可能であり、
前記レールファスナーが、前記両側開口縁に固着された第１連続エレメントと、前記自由両側縁に固着された第２連続エレメントと、それらエレメントどうしを係合可能かつそれらエレメントどうしの係合を解除可能なスライダーとから形成されていることを特徴とする前記物品。
【請求項２】
前記物品では、前記スライダーが前記股下域から前記第１胴周り域に向かって移動して前記第１および第２連続エレメントどうしを係合させ、前記スライダーによってそれらエレメントどうしを係合させた後に、前記スライダーを前記第１胴周り域に位置するそれらエレメントの上端部から抜き取ることが可能である請求項１記載の物品。
【請求項３】
前記物品では、前記レールファスナーが順に並ぶ複数の前記スライダーを有し、それらスライダーのうちの前記第１および第２連続エレメントの上端部の側に位置するスライダーによってそれらエレメントどうしを係合させるとともにそのスライダーをそれらエレメントの上端部から抜き取った後に、それらエレメントどうしの係合をスライダーを用いることなく外力を加えて解除することが可能であり、抜き取ったスライダーの直後に位置するスライダーによって前記第１および第２連続エレメントどうしを再び係合させることが可能である請求項２記載の物品。
【請求項４】
前記中央開口の前記第１胴周り域に位置する上方部分が、前記物品と別体の横方向へ延びる第２被覆部によって覆われ、前記第２被覆部の周縁が、前記開口周縁のうちの前記上端開口縁と該上端開口縁寄りに位置する前記両側開口縁とに固着され、前記物品では、前記両側開口縁と前記自由両側縁とを前記レールファスナーを介して連結したときに、前記第１被覆部の前記第１胴周り域に位置する上方部分が前記第２被覆部の外面に重なる請求項１ないし請求項３いずれかに記載の物品。
【請求項５】
前記第１被覆部が、前記物品と別体の弾性的な伸縮性を有する疎水性繊維不織布から形成され、前記第２被覆部が、疎水性繊維不織布から形成されている請求項４記載の物品。
【請求項６】
弾性的な伸縮性を有する胴周り用弾性部材が、前記胴周り開口を画成する胴周り周縁部に収縮可能に取り付けられ、弾性的な伸縮性を有する脚周り用弾性部材が、前記脚周り開口を画成する脚周り周縁部に収縮可能に取り付けられている請求項１ないし請求項５いずれかに記載の物品。
【発明の詳細な説明】
【技術分野】
【０００１】
本発明は、体液を吸収保持する使い捨てパッドを着脱可能なパンツ型の着用物品に関する。
【背景技術】
【０００２】
互いに対向する前後胴周り域と、それら胴周り域の間に位置する股下域と、胴周り開口および一対の脚周り開口とを有し、前胴周り域と股下域との横方向中央に中央開口が形成され、中央開口を開閉可能なシート状の被覆部材が取り付けられた使い捨てパンツがある（特許文献１参照）。
【０００３】
中央開口を画成するパンツの開口周縁は、前胴周り域に位置して横方向へ延びる上端開口縁と、股下域に位置して横方向へ延びる下端開口縁と、上下端開口縁間に位置して縦方向へ延びる両側開口縁とから形成されている。被覆部材の周縁は、上端開口縁に並行して横方向へ延びる自由上端縁と、下端開口縁に固着されて横方向へ延びる固定下端縁と、両側開口縁に並行して縦方向へ延びる自由両側縁とから形成されている。開口周縁のうちの上端開口縁と両側開口縁とには機械式面ファスナーであるフックとループとのうちのいずれか一方が取り付けられ、被覆部材の自由上端縁と自由両側縁とにはフックとループとのうちのいずれか他方が取り付けられている。このパンツでは、面ファスナーを介して被覆部材の周縁を開口周縁に連結するとパンツの中央開口を閉じることができ、開口周縁と被覆部材の周縁との連結を解除するとパンツの中央開口を開けることができる。
【０００４】
このパンツの内面には、体液を吸収保持するパッドが着脱可能に取り付けられる。このパンツは、フックとループとの係合を解除して開口周縁と被覆部材の周縁との連結を外し、被覆部材をパンツの股下域に向かって縦方向下方へ旋回させた状態で、体液で汚れたパッドをパンツから取り外したり、新しいパッドをパンツに取り付けることができるので、パッドの交換時にパンツを上げ下げする手間を省くことができる。
【特許文献１】特開平９−９５８０４号公報
【発明の開示】
【発明が解決しようとする課題】
【０００５】
特許文献１に開示のパンツでは、フックとループとから形成される機械式面ファスナーに止水性がないので、面ファスナーを介して中央開口を画成するパンツの開口周縁と被覆部材の周縁とを連結したとしても、パッドの周縁から漏出した体液が面ファスナーを通過して開口周縁や被覆部材の周縁からパンツの外側に漏れてしまう場合がある。また、このパンツでは、フックとループとの係合を解除するときに、ループに引っ掛かったフックをループから無理に外すので、バリバリという不快な音が発生する。
【０００６】
本発明の目的は、パッドの周縁から漏出した体液が外側に漏れてしまうことはなく、開口周縁と被覆部との連結を解除するときに不快な音を発することがないパンツ型の着用物品を提供することにある。
【課題を解決するための手段】
【０００７】
前記課題を解決するための本発明の前提は、互いに対向する第１および第２胴周り域と、それら胴周り域の間に位置する股下域と、胴周り開口および一対の脚周り開口とを有し、第１胴周り域と股下域との横方向中央に縦方向へ延びる中央開口が形成され、股下域に連なって縦方向へ旋回可能かつ中央開口を開閉可能な第１被覆部を備え、体液を吸収保持する使い捨てパッドが第１被覆部の内面に着脱可能に取り付けられるパンツ型の着用物品である。
【０００８】
前記前提における本発明の特徴は、中央開口を画成する開口周縁が、第１胴周り域に位置して横方向へ延びる上端開口縁と、股下域に位置して横方向へ延びる下端開口縁と、上下端開口縁間に縦方向へ延びる両側開口縁とから形成され、第１被覆部が、上端開口縁に並行して横方向へ延びる自由上端縁と、下端開口縁に連なって横方向へ延びる固定下端縁と、両側開口縁に並行して縦方向へ延びる自由両側縁とを有し、両側開口縁と自由両側縁とが、止水性のレールファスナーを介して連結可能であり、レールファスナーが、両側開口縁に固着された第１連続エレメントと、自由両側縁に固着された第２連続エレメントと、それらエレメントどうしを係合可能かつそれらエレメントどうしの係合を解除可能なスライダーとから形成されていることにある。
【０００９】
この物品は、体液がパッドの周縁から漏出したとしても、レールファスナーが止水性であるから、体液がファスナーを通過することはなく、体液が開口周縁のうちの両側開口縁や第１被覆部の自由両側縁から物品の外側へ漏れることはない。この物品は、スライダーを移動させてレールファスナーを形成する第１および第２連続エレメントの係合を解除するので、それらエレメントの係合を解除するときに不快な音が発生することはない。なお、レールファスナーは、エレメントが一連に延びるレール状を呈し、多数の務歯頭部がファスナーの延びる方向へ順に並ぶジップ・ファスナーとは異なる。
【００１０】
本発明は、以下の実施態様を有する。
（１）物品では、スライダーが股下域から第１胴周り域に向かって移動して第１および第２連続エレメントどうしを係合させ、スライダーによってそれらエレメントどうしを係合させた後に、スライダーを第１胴周り域に位置するそれらエレメントの上端部から抜き取ることが可能である。この態様の物品では、スライダーを第１および第２連続エレメントの上端部から抜き取ることで、それらエレメントどうしを係合させた後にスライダーを物品から分離することができる。
（２）物品では、レールファスナーが順に並ぶ複数の前記スライダーを有し、それらスライダーのうちの第１および第２連続エレメントの上端部の側に位置するスライダーによってそれらエレメントどうしを係合させるとともにそのスライダーをそれらエレメントの上端部から抜き取った後に、それらエレメントどうしの係合をスライダーを用いることなく外力を加えて解除することが可能であり、抜き取ったスライダーの直後に位置するスライダーによって第１および第２連続エレメントどうしを再び係合させることが可能である。この態様の物品は、第１および第２連続エレメントどうしを互いに離間させる方向へ引っ張ることでスライダーを用いずにそれらエレメントどうしの係合を解除することができ、抜き取ったスライダーの直後に位置するスライダーを利用して第１および第２連続エレメントどうしを再び係合させることができる。
（３）物品では、中央開口の第１胴周り域に位置する上方部分が物品と別体の横方向へ延びる第２被覆部によって覆われ、第２被覆部の周縁が開口周縁のうちの上端開口縁と該上端開口縁寄りに位置する両側開口縁とに固着されている。物品では、両側開口縁と自由両側縁とをレールファスナーを介して連結したときに、第１被覆部の第１胴周り域に位置する上方部分が第２被覆部の外面に重なる。この態様の物品は、その着用中に、上端開口縁と第１被覆部の自由上端縁との間から着用者の肌が露出することはない。
（４）第１被覆部は、物品と別体の弾性的な伸縮性を有する疎水性繊維不織布から形成されている。第２被覆部は、疎水性繊維不織布から形成されている。この態様の物品は、その着用中に、両側開口縁と自由両側縁とを連結するレールファスナーが着用者の動作によって引っ張られたとしても、伸縮性繊維不織布から形成された第１被覆部がレールファスナーの動きに追従して伸長するので、第１および第２連続エレメントどうしの係合が不用意に解除されてしまうことがない。
（５）物品では、弾性的な伸縮性を有する胴周り用弾性部材が胴周り開口を画成する胴周り周縁部に収縮可能に取り付けられ、弾性的な伸縮性を有する脚周り用弾性部材が脚周り開口を画成する脚周り周縁部に収縮可能に取り付けられている。この態様の物品では、それを着用したときに、胴周り用弾性部材が着用者の胴部を締め付けるとともに、脚周り用弾性部材が着用者の脚部を締め付ける。
【発明の効果】
【００１１】
本発明に係るパンツ型の着用物品によれば、中央開口を画成する開口周縁のうちの両側開口縁と第１被覆部の自由両側縁とが止水性のレールファスナーを介して連結されるので、第１被覆部の内面に取り付けられた使い捨てパッドの周縁から体液が漏出したとしても、体液がレールファスナーを通って両側開口縁や第１被覆部の自由両側縁から物品の外側へ漏れてしまうことはなく、それら縁からの体液の漏れを確実に防ぐことができる。この物品では、両側開口縁と第１被覆部の自由両側縁との連結にレールファスナーを利用し、レールファスナーを形成する第１および第２連続エレメントの係合がそれらエレメントを移動するスライダーを介して解除されるので、両側開口縁と自由両側縁との連結にフックとループとから形成された機械式面ファスナーを利用する場合と比較し、開口周縁と被覆部との連結を解除するときに不快な音が発生することはない。
【００１２】
第１および第２エレメントを係合させて両側開口縁と第１被覆部の自由両側縁とを連結した後に、スライダーをそれらエレメントの上端部から抜き取ることが可能な物品では、スライダーを物品から分離することができ、物品の着用中にスライダーが着用者の肌に接することはないので、スライダーが肌に接することによる不快感を防ぐことができる。
【００１３】
第１および第２エレメントどうしを係合させた後に、それらエレメントどうしの係合をスライダーを用いることなく外力を加えて解除することが可能な物品では、スライダーを移動させてそれらエレメントどうしの係合を解除する手間を省くことができる。この物品は、それらエレメントどうしの係合を外力を加えて解除した後に、抜き取ったスライダーの直後に位置するスライダーによって第１および第２連続エレメントどうしを再び係合させることができ、体液で汚れたパッドを交換した後に、再び開口両側縁と第１被覆部の自由両側縁とを連結させることができるので、物品を繰り返し使用することができる。
【００１４】
中央開口の第１胴周り域に位置する上方部分が横方向へ延びる第２被覆部によって覆われた物品では、中央開口の上方部分が第２被覆部によって閉じられるとともに、両側開口縁と第１被覆部の自由両側縁とをレールファスナーを介して連結したときに、第１被覆部の第１胴周り域に位置する上方部分が第２被覆部の外面に重なるので、上端開口縁と第１被覆部の自由上端縁との間からの着用者の肌の露出を防ぐことができる。
【００１５】
第１被覆部が弾性的な伸縮性を有する疎水性繊維不織布から形成された物品では、レールファスナーを介して両側開口縁と第１被覆部の自由両側縁とを連結した着用状態において、レールファスナーが着用者の動作によって引っ張られたとしても、第１被覆部がレールファスナーの動きに追従するように伸長するので、第１および第２連続エレメントどうしの係合が不用意に解除されてしまうことがない。この物品は、第１被覆部が疎水性であるから、パッドの周縁から漏出した体液が第１被覆部に滲入することはない。
【００１６】
胴周り用弾性部材と脚周り用弾性部材とが取り付けられた物品では、その着用中に、胴周り用弾性部材が着用者の胴部を締め付けるとともに、脚周り用弾性部材が着用者の脚部を締め付けるので、物品の着用位置からのずれ下がりを防ぐことができる。
【発明を実施するための最良の形態】
【００１７】
添付の図面を参照し、本発明に係るパンツ型の着用物品の詳細を説明すると、以下のとおりである。
【００１８】
図１，２は、前胴周り域２の側から見た一例として示す着用物品１Ａの斜視図であり、図３は、後胴周り域４の側から見た図１の物品１Ａの斜視図である。それら図では、横方向を矢印Ｌで示し、縦方向を矢印Ｍで示す。図１では、第１被覆部１０が物品１Ａの股下域３に向かって縦方向下方へ旋回し、中央開口９が開けられた状態にあり、第１被覆部１０の内面に取り付けられた使い捨てパッド２４が二点鎖線で示されている。図２では、両側開口縁１９と第１被覆部１０の自由両側縁２２とが連結され、中央開口９が閉じられた状態にあり、さらに、スライダー２８の一方がエレメント２６，２７から取り外された状態にある。なお、第１および第２被覆部１０，１２の内面とは、着用者の肌に対向する面をいい、第１および第２被覆部１０，１２の外面とは、着用者の肌に非対向の面をいう。
【００１９】
物品１Ａは、互いに対向する前胴周り域２および後胴周り域４と、それら胴周り域２，４の間に位置する股下域３とを有する。なお、特許請求の範囲における第１胴周り域はこの実施の形態における物品１Ａの前後胴周り域２，４のいずれか一方に相当し、特許請求の範囲における第２胴周り域はこの実施の形態における物品１Ａの前後胴周り域２，４のいずれか他方に相当する。たとえば、第１胴周り域が前胴周り域２に相当する場合は第２胴周り域が後胴周り域４に相当し、第１胴周り域が後胴周り域４に相当する場合は第２胴周り域が前胴周り域２に相当に相当する。
【００２０】
物品１Ａは、疎水性繊維不織布、疎水性繊維不織布どうしをラミネートした複合不織布、疎水性繊維不織布と通気不透液性プラスチックフィルムとをラミネートした複合シートのいずれかから作られている。物品１Ａは、前後胴周り域２，４の両側部５が重なり合い、それら側部５の側縁近傍が縦方向へ間欠的に並ぶ多数の熱融着線６を介して固着されている。物品１Ａは、パンツ型を呈し、胴周り開口７と一対の脚周り開口８とを有する。物品１Ａには、縦方向へ延びる中央開口９が形成されている。物品１Ａは、縦方向へ旋回可能かつ中央開口９を開閉可能な第１被覆部１０と、中央開口９の前胴周り域２に位置する上方部分１１を覆う第２被覆部１２とを有する。
【００２１】
胴周り開口７を画成する物品１Ａの胴周り周縁部１３には、複数条の胴周り用弾性部材１４が収縮可能に取り付けられている。胴周り周縁部１３には、それら弾性部材１４が収縮して多数のギャザーが形成されている。脚周り開口８を画成する物品１Ａの脚周り周縁部１５には、複数条の脚周り用弾性部材１６が収縮可能に取り付けられている。脚周り周縁部１５には、それら弾性部材１６が収縮して多数のギャザーが形成されている。
【００２２】
中央開口９は、胴周り開口７と脚周り開口８との間であって、前胴周り域２と股下域３との横方向中央に形成されている。中央開口９を画成する物品１Ａの開口周縁は、前胴周り域２に位置して横方向へ延びる上端開口縁１７と、股下域３に位置して横方向へ延びる下端開口縁１８と、上下端開口縁１７，１８間に位置して縦方向へ延びる両側開口縁１９とから形成されている。中央開口９は、物品１Ａの上下端開口縁１７，１８と両側開口縁１９とに囲繞されている。
【００２３】
第１被覆部１０は、上端開口縁１７に並行して横方向へ延びる自由上端部２０と、下端開口縁１８に並行して横方向へ延びる固定下端部２１と、両側開口縁１９に並行して自由上下端縁２０，２１間を縦方向へ延びる自由両側縁２２とを有する。固定下端縁２１は、下端開口縁１８に接着剤（図示せず）を介して固着されている。第１被覆部１０は、物品１Ａとは別体の弾性的な伸縮性を有する疎水性繊維不織布２３から形成されている。第１被覆部１０は、非伸縮性の疎水性繊維不織布から形成されていてもよく、疎水性繊維不織布どうしをラミネートした複合不織布、疎水性繊維不織布と通気不透液性プラスチックフィルムとをラミネートした複合シートのいずれかから形成されていてもよい。
【００２４】
第１被覆部１０は、固定下端縁２１を旋回軸として縦方向上方と縦方向下方とへ旋回可能である。第１被覆部１０を股下域３に向かって縦方向下方へ旋回させると中央開口９を開けることができ、第１被覆部１０を前胴周り域２に向かって縦方向上方へ旋回させると中央開口９を閉じることができる。第１被覆部１０の内面には、体液を吸収保持する使い捨てパッド２４が着脱可能に取り付けられる。
【００２５】
物品１Ａの両側開口縁１９と第１被覆部１０の自由両側縁２２とは、それら縁１９，２２に取り付けられた止水性のレールファスナー２５を介して連結可能である。レールファスナー２５は、両側開口縁１９に固着されて縦方向へ延びる雄型の第１連続エレメント２６と、自由両側縁２２に固着されて縦方向へ延びる雌型の第２連続エレメント２７と、それら連続エレメント２６，２７に取り付けられたスライダー２８とから形成されている。
【００２６】
第１連続エレメント２６は、両側開口縁１９に固着された基端部２９と、基端部２９に連なってエレメント２６の延びる方向へ連続する断面Ω状の凸部３０とから形成されている。第２連続エレメント２７は、自由両側縁２２に固着された基端部３１と、基端部３１に連なってエレメント２７の延びる方向へ連続する凹部３２とから形成されている（４，５，６参照）。股下域３に位置するそれらエレメント２６，２７の下端部３４には、下端部３４からのスライダー２８の抜け落ちを防止するための止め具３５が取り付けられている。前胴周り域２に位置するそれらエレメント２６，２７の上端部３３には、止め具が取り付けられていない。それらエレメント２６，２７と止め具３５とは、可撓性を有する撥水性の合成樹脂から作られている。
【００２７】
スライダー２８は、スライダー胴部３６と、胴部３６に取り付けられた引手３７とから形成されている（図４参照）。スライダー２８の胴部３６には、エレメント２６，２７の凸部３０と凹部３２とが嵌め込まれている。スライダー２８は、合成樹脂、金属のいずれかから作られている。金属には、丹銅、アルミ、洋白が使用される。スライダー２８は、それらエレメント２６，２７どうしを係合させたり、それらエレメント２６，２７どうしの係合を解除するときに使用する。スライダー２８がそれらエレメント２６，２７の下端部３４にあるときは両側開口縁１９と自由両側縁２２とが非連結状態にあり、スライダー２８がそれらエレメント２６，２７の上端部３３にあるときは両側開口縁１９と自由両側縁２２とが連結状態にある。エレメント２６，２７の上端部３３には止め具が取り付けられていないので、スライダー２８をエレメント２６，２７の上端部３３から抜き取ることができる。
【００２８】
第２被覆部１２は、その周縁が上端開口縁１７と上端開口縁１７寄りに位置する両側開口縁１９とに接着剤（図示せず）を介して固着されている。中央開口９の上方部分１１は、第２被覆部１２によって閉じられている。第２被覆部１２は、疎水性繊維不織布３８から形成されている。第２被覆部１２は、疎水性繊維不織布どうしをラミネートした複合不織布、疎水性繊維不織布と通気不透液性プラスチックフィルムとをラミネートした複合シートのいずれかから形成されていてもよい。
【００２９】
パッド２４は、図示はしていないが、肌当接側に位置する透液性表面シートと、肌非当接側に位置する不透液性裏面シートと、表裏面シートの間に介在してそれらシートの少なくとも一方の内面に接合された吸液性コアとから形成されている。表面シートと裏面シートとは、コアの周縁から周方向外方へ延出する部分が接着剤を介して固着されている。裏面シートの外面には、剥離紙に被覆保護された粘着剤が塗布されている。パッド２４は、粘着剤を介して第１被覆部１０の内面に貼着される。
【００３０】
表面シートには、親水性繊維不織布、多数の開孔を有する疎水性繊維不織布、微細な多数の開孔を有するプラスチックフィルムのいずれかを使用することができる。裏面シートには、疎水性繊維不織布、通気不透液性プラスチックフィルム、疎水性繊維不織布どうしをラミネートした複合不織布、疎水性繊維不織布と通気不透液性プラスチックフィルムとをラミネートした複合シートのいずれかを使用することができる。
【００３１】
コアは、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚みに圧縮されている。コアは、それの型崩れを防止するため、全体がティッシュペーパーや親水性繊維不織布等の透液性シートに包被されていることが好ましい。高吸収性ポリマーには、デンプン系、セルロース系、合成ポリマー系を使用することができる。
【００３２】
図４は、第１および第２エレメント２６，２７とスライダー２８とを拡大して示す図であり、図５，６は、係合状態にある第１および第２エレメント２６，２７の断面図と、非係合状態にある第１および第２エレメント２６，２７の断面図とである。
【００３３】
スライダー２８を股下域３から前胴周り域２に向かって移動させると、図５に示すように、スライダー２８の胴部３６内において第１連続エレメント２６の凸部３０が第２連続エレメント２７の凹部３２に進入し、それらエレメント２６，２７どうしが水密に係合する。また、スライダー２８を前胴周り域２から股下域３に向かって移動させると、図６に示すように、スライダー２８の胴部３６内において第１連続エレメント２６の凸部３０が第２連続エレメント２７の凹部３２から外れ、それらエレメント２６，２７どうしの係合が解除される。係合状態にある第１および第２エレメント２６，２７は、それらが撥水性の合成樹脂から作られているとともに、それらの凸部３０と凹部３２とが水密に係合するので、それらエレメント２６，２７に体液が滲入することや凸部３０と凹部３２との間に体液が浸入することはなく、体液がレールファスナー２５を通って物品１Ａの外側へ浸出することはできない。
【００３４】
この物品１Ａを着用する手順は、以下のとおりである。胴周り開口７から脚周り開口８に着用者の脚部を通し、物品１Ａを着用者の胴部に引き上げ、物品１Ａを着用者に着用させる。このとき物品１Ａは、図１に示すように、両側開口縁１９と第１被覆部１０の自由両側縁２２とが非連結状態にあり、第１被覆部１０が固定下端縁２１を軸として縦方向下方へ旋回している。物品１Ａを着用者に着用させた後、第１被覆部１０の内面にパッド２４を取り付ける。第１被覆部１０にパッド２４を取り付けるには、裏面シートから剥離紙を剥がして粘着剤を露出させるとともに、裏面シートの外面を第１被覆部１０の内面に押し付け、粘着剤を介してパッド２４を第１被覆部１０の内面に貼着する。次に、第１被覆部１０を前胴周り域２に向かって縦方向上方へ旋回させて中央開口９を閉じた後、引手３７を指で摘持しつつスライダー胴部３６を股下域３から前胴周り域２に向かって移動させ、第１および第２連続エレメント２６，２７どうしを係合させて両側開口縁１９と第１被覆部１０の自由両側縁２２とを連結する。両側開口縁１９と自由両側縁２２とをレールファスナー２５を介して連結すると、第１被覆部１０の前胴周り域に位置する上方部分３９が第２被覆部１２の外面に重なる。
【００３５】
体液で汚れたパッド２４を新しいそれと取り替える手順は、以下のとおりである。引手３７を指で摘持しつつスライダー胴部３６を前胴周り域２から股下域３に向かって移動させ、第１および第２連続エレメント２６，２７どうしの係合を解除して両側開口縁１９と第１被覆部１０の自由両側縁２２との連結を外した後、第１被覆部１０を股下域３に向かって縦方向下方へ旋回させて中央開口９を開ける。次に、汚れたパッド２４を第１被覆部１０から取り外し、粘着剤を介して新しいパッド２４を第１被覆部１０の内面に貼着した後、第１被覆部１０を前胴周り域２に向かって縦方向上方へ旋回させて中央開口９を閉じ、スライダー２８を股下域３から前胴周り域２に向かって移動させ、第１および第２連続エレメント２６，２７どうしを係合させて再び両側開口縁１８と自由両側縁２２とを連結する。
【００３６】
物品１Ａは、中央開口９を画成する両側開口縁１９と第１被覆部１０の自由両側縁２２とが止水性のレールファスナー２５を介して連結されるので、パッド２４の周縁から体液が漏出したとしても、体液がファスナー２５を通って両側開口縁１９や自由両側縁２２から物品１Ａの外側へ漏れてしまうことはない。物品１Ａは、第１および第２連続エレメント２６，２７を移動するスライダー２８を介し、それらエレメント２６，２７どうしを係合させたり、それらエレメント２６，２７どうしの係合を解除するので、エレメント２６，２７を係合させるときやエレメント２６，２７の係合を解除するときに不快な音が発生することはない。物品１Ａは、両側開口縁１９と第１被覆部１０の自由両側縁２２とをレールファスナー２５を介して連結したときに、前胴周り域２に位置する第１被覆部１０の上方部分３９が第２被覆部１２の外面に重なるので、上端開口縁１９と自由上端縁２２との間から着用者の肌が露出することはない。
【００３７】
物品１Ａは、第１被覆部１０が弾性的な伸縮性を有する疎水性繊維不織布２３から形成されているので、レールファスナー２５を介して両側開口縁１９と第１被覆部１０の自由両側縁２２とを連結した着用状態において、レールファスナー２５が着用者の動作によって引っ張られたとしても、第１被覆部１０がレールファスナー２５の動きに追従するように伸長する。ゆえに、この物品１Ａは、第１および第２連続エレメント２６，２７どうしの係合が不用意に解除されてしまうことがない。物品１Ａは、その着用中に、胴周り用弾性部材１４が着用者の胴部を締め付けるとともに、脚周り用弾性部材１６が着用者の脚部を締め付けるので、物品１Ａの着用位置からのずれ下がりを防ぐことができる。
【００３８】
なお、一回の使用で物品１Ａを廃棄する場合やパッド２４を複数回交換した後にそれ以上パッド２４を取り替えることなく物品１Ａを廃棄する場合では、図２に示すように、スライダー２８を介して両側開口縁１９と第１被覆部１０の自由両側縁２２とを連結した後、スライダー２８をエレメント２６，２７の上端部３３から抜き取り、スライダー２８を物品１Ａから分離する。この場合、物品１Ａの着用中にスライダー２８が着用者の肌に接することによる不快感を防止することができる。
【００３９】
図７，８は、前胴周り域２の側から見た他の一例として示す着用物品１Ｂの斜視図であり、図９は、後胴周り域４の側から見た図７の物品１Ｂの斜視図である。それら図では、縦方向を矢印Ｌで示し、横方向を矢印Ｍで示す。図７では、第１被覆部１０が物品１Ｂの股下域３に向かって縦方向下方へ旋回し、中央開口９が開けられた状態にあり、第１被覆部１０の内面に取り付けられた使い捨てパッド２４が二点鎖線で示されている。図８では、両側開口縁１９と第１被覆部１０の自由両側縁２２とが連結され、中央開口９が閉じられた状態にあり、さらに、スライダー２８を介することなく一方のエレメント２６，２７どうしの係合が外された状態にある。
【００４０】
この物品１Ｂが図１のそれと異なるのは、レールファスナー２５を形成する第１および第２連続エレメント２６，２７に複数のスライダー２８が取り付けられている点と、第１および第２エレメント２６，２７が雄型および雌型ではない点とであり、その他の構成は図１の物品１Ｂと同一であるので、図１と同一の符号を付してその他の構成の詳細な説明は省略する。
【００４１】
物品１Ｂは、互いに対向する前胴周り域２および後胴周り域４と、それら胴周り域２，４の間に位置する股下域３とを有する。物品１Ｂは、パンツ型を呈し、胴周り開口７と一対の脚周り開口８とを有する。物品１Ｂには、縦方向へ延びる中央開口９が形成されている。物品１Ｂは、縦方向へ旋回可能かつ中央開口９を開閉可能な第１被覆部１０と、中央開口９の上方部分１１を覆う第２被覆部１２とを有する。物品１Ｂの胴周り周縁部１３には、複数条の胴周り用弾性部材１４が収縮可能に取り付けられている。物品１Ｂの脚周り周縁部１５には、複数条の脚周り用弾性部材１６が収縮可能に取り付けられている。
【００４２】
中央開口９は、前胴周り域２と股下域３との横方向中央に形成されている。中央開口９を画成する物品１Ｂの開口周縁は、横方向へ延びる上端開口縁１７と、横方向へ延びる下端開口縁１８と、縦方向へ延びる両側開口縁１９とから形成されている。第１被覆部１０は、横方向へ延びる自由上端部２０と、横方向へ延びる固定下端部２１と、縦方向へ延びる自由両側縁２２とを有する。
【００４３】
物品１Ｂの両側開口縁１９と第１被覆部１０の自由両側縁２２とは、それら縁１９，２２に取り付けられた止水性のレールファスナー２５を介して連結可能である。レールファスナー２５は、両側開口縁１９に固着されて縦方向へ延びる第１連続エレメント２６と、自由両側縁２２に固着されて縦方向へ延びる第２連続エレメント２７と、それらエレメント２６，２７に取り付けられた複数のスライダー２８とから形成されている。
【００４４】
第１連続エレメント２６は、両側開口縁１９に固着された基端部４０と、基端部４０に連なってエレメント２６の延びる方向へ連続する断面鉤状の腕部４１とから形成されている。第２連続エレメント２７は、自由両側縁２２に固着された基端部４２と、基端部４２に連なってエレメント２７の延びる方向へ連続する断面鉤状の腕部４３とから形成されている（図１０，１１，１２参照）。エレメント２６，２７の下端部３４には、止め具３５が取り付けられている。エレメント２６，２７の上端部３３には、止め具が取り付けられていない。エレメント２６，２７と止め具３５とは、可撓性を有する撥水性の合成樹脂から作られている。
【００４５】
スライダー２８は、スライダー胴部３６と、胴部３６に取り付けられた引手３７とから形成されている（図１０参照）。スライダー２８は、エレメント２６，２７の上端部３３の側に位置するスライダー２８ａを先頭としてエレメント２６，２７の下端部３４に向かって順に並び、前方に位置するスライダー２８ａの後部とその直後に位置するスライダー２８ｂの前部とが対向し、スライダー２８ｂの後部とスライダー２８ｃの前部とが対向している。スライダー２８ａ，２８ｂ，２８ｃの胴部３６には、それらエレメント２６，２７の腕部４１，４３が嵌り込んでいる。スライダー２８ａがエレメント２６，２７の下端部３４にあるときは両側開口縁１９と自由両側縁２２とが非連結状態にあり、スライダー２８ａがエレメント２６，２７の上端部３３にあるときは両側開口縁１９と自由両側縁２２とが連結状態にある。なお、この物品１Ｂでは、スライダー２８ａ，２８ｂ，２８ｃがエレメント２６，２７に３個取り付けられているが、スライダー２８の個数に限定はなく、３個以上のスライダー２８がエレメント２６，２７に取り付けられていてもよい。
【００４６】
第１被覆部１０の内面に取り付けられる使い捨てパッド２４は、透液性表面シートおよび不透液性裏面シートと、それらシートの間に介在する吸液性コアとから構成されている。裏面シートの外面には、剥離紙に被覆保護された粘着剤が塗布されている。
【００４７】
図１０，１１は、第１および第２エレメント２６，２７とスライダー２８とを拡大して示す図と、係合状態にある第１および第２エレメント２６，２７の断面図とであり、図１２は、非係合状態にある第１および第２エレメント２６，２７の断面図である。
【００４８】
スライダー２８を股下域３から前胴周り域２に向かって移動させると、図１１に示すように、スライダー２８の胴部３６内において第１連続エレメント２６の腕部４１と第２連続エレメント２７の腕部４３とが引っ掛かり、それらエレメント２６，２７どうしが水密に係合する。また、スライダー２８を前胴周り域２から股下域３に向かって移動させると、第１連続エレメント２６の腕部４１と第２連続エレメント２７の腕部４３とが外れ、それらエレメント２６，２７どうしの係合が解除される。係合状態にある第１および第２連続エレメント２６，２７は、それらが撥水性の合成樹脂から作られているとともに、それらの腕部４１，４３どうしが水密に係合するので、エレメント２６，２７に体液が滲入することや腕部４１，４３どうしの間に体液が浸入することはなく、体液がレールファスナー２５を通って物品１Ｂの外側へ浸出することはできない。
【００４９】
この物品１Ｂを着用する手順は、以下のとおりである。第１被覆部１０の内面に粘着剤を介してパッド２４を貼着し、胴周り開口７から脚周り開口８に着用者の脚部を通し、物品１Ｂを着用者の胴部に引き上げ、物品１Ｂを着用者に着用させる。このとき物品１Ｂは、図８に示すように、両側開口縁１９と第１被覆部１０の自由両側縁２２とがレールファスナー２５を介して連結状態にあり、第１被覆部１０の前胴周り域２に位置する上方部分３９が第２被覆部１２の外面に重なっている。物品１Ｂは、図１のそれと同様に、スライダー２８によって第１および第２連続エレメント２６，２７どうしを係合させて両側開口縁１８と自由両側縁２２とを連結した後、スライダー２８をエレメント２６，２７の上端部３３から抜き取り、スライダー２８を物品１Ｂから分離することができる。
【００５０】
この物品１Ｂでは、図８に示すように、第１および第２連続エレメント２６，２７の上端部３３の側に位置する先頭のスライダー２８ａによってそれらエレメント２６，２７どうしを係合させるとともにそのスライダー２８ａをエレメント２６，２７の上端部３３から抜き取った後、外力を加えてそれらエレメント２６，２７どうしの係合を解除することができる。具体的には、係合したエレメント２６，２７どうしを互いに離間させる方向へ手で引っ張ることによって、エレメント２６，２７の腕部４１，４３どうしがエレメント２６，２７の上端部３３から下端部３４に向かって次第に外れ、エレメント２６，２７どうしの係合が解除される。物品１Ｂは、エレメント２６，２７どうしの係合を外力を加えて解除した後、抜き取ったスライダー２８ａの直後に位置するスライダー２８ｂによって再び第１および第２連続エレメント２６，２７どうしを係合させることができる。さらに、エレメント２６，２７どうしの係合を外力を加えて解除し、スライダー２８ｂをエレメント２６，２７から抜き取り、抜き取ったスライダー２８ｂの直後に位置するスライダー２８ｃによって再び第１および第２連続エレメント２６，２７どうしを係合させることができる。
【００５１】
体液で汚れたパッド２４を新しいそれと取り替える手順は、以下のとおりである。係合したエレメント２６，２７どうしを互いに離間させる方向へ引っ張ってそれらエレメント２６，２７の係合を解除し、第１被覆部１０を股下域３に向かって縦方向下方へ旋回させて中央開口９を開ける。次に、汚れたパッド２４を第１被覆部１０から外し、粘着剤を介して新しいパッド２４を第１被覆部１０の内面に貼着した後、第１被覆部１０を前胴周り域２に向かって縦方向上方へ旋回させて中央開口９を閉じ、抜き取ったスライダー２８ａの直後に位置するスライダー２８ｂを股下域３から前胴周り域２に向かって移動させ、第１および第２連続エレメント２６，２７どうしを係合させて再び両側開口縁１９と第１被覆部１０の自由両側縁２２とを連結する。両側開口縁１９と自由両側縁２２との再連結に使用したスライダー２８ｂは、エレメント２６，２７の上端部３３から抜き取る。なお、取り換えたパッド２４がさらに体液で汚れた場合は、上記手順にしたがってパッド２４を交換することができる。
【００５２】
物品１Ｂは、中央開口９を画成する両側開口縁１９と第１被覆部１０の自由両側縁２２とが止水性のレールファスナー２５を介して連結されるので、パッド２４の周縁から体液が漏出したとしても、体液がレールファスナー２５を通って両側開口縁１９や自由両側縁２２から物品１Ｂの外側へ漏れてしまうことはない。物品１Ｂは、第１および第２連続エレメント２６，２７を移動するスライダーを介してエレメント２６，２７どうしを係合させるので、それらエレメント２６，２７を係合させるときに不快な音が発生することはない。物品１Ｂは、レールファスナー２５を形成する第１および第２連続エレメント２６，２７を互いに離間させる方向へ引っ張ると、エレメント２６，２７の腕部４１，４３どうしの引っ掛かりが次第に外れるので、それらエレメント２６，２７の係合を解除するときに、不快な音が発生することはない。
【００５３】
物品１Ｂは、第１および第２連続エレメント２６，２７の係合を外力を加えて解除することができ、エレメント２６，２７の上端部３３から抜き取ったスライダー２８の直後に位置するスライダー２８によって再びそれらエレメント２６，２７を係合させることができるので、パッド２４を何回も交換することができ、物品１Ｂを繰り返し使用することができる。物品１Ｂは、エレメント２６，２７に取り付けられたスライダー２８の数によってパッド２４が何回取り換えられたかが分かる。物品１Ｂは、両側開口縁１９と第１被覆部１０の自由両側縁２２とをレールファスナー２５を介して連結したときに、第１被覆部１０の上方部分３９が第２被覆部１２の外面に重なるので、上端開口縁１９と自由上端縁２２との間から着用者の肌が露出することはない。
【００５４】
物品１Ｂは、第１被覆部１０が弾性的な伸縮性を有する疎水性繊維不織布２３から形成されているので、レールファスナー２５を介して両側開口縁１９と第１被覆部１０の自由両側縁２２とを連結した着用状態において、レールファスナー２５が着用者の動作によって引っ張られたとしても、第１被覆部１０がレールファスナー２５の動きに追従するように伸長する。ゆえに、この物品１Ｂは、第１および第２連続エレメント２６，２７どうしの係合が不用意に解除されてしまうことがない。物品１Ｂは、その着用中に、胴周り用弾性部材１４が着用者の胴部を締め付けるとともに、脚周り用弾性部材１６が着用者の脚部を締め付けるので、物品１Ｂの着用位置からのずれ下がりを防ぐことができる。
【００５５】
それら図示の物品１Ａ，１Ｂでは、第１被覆部１０が物品１Ａ，１Ｂとは別体の不織布２３から形成されているが、第１被覆部１０が物品１Ａ，１Ｂの一部から形成されていてもよい。この場合は、第１胴周り域１０に位置して横方向へ延びる第１切り込み線と第１切り込み線の横方向両端から股下域３に向かって縦方向へ延びる一対の第２切り込み線とを介して物品１Ａ，１Ｂの前胴周り域２と股下域３との横方向中央を裁断し、それら切り込み線に囲まれた中央開口９と、裁断した前胴周り域２と股下域３との横方向中央から形成された第１被覆部１０とを作り、両側開口縁１９と第１被覆部１０の自由両側縁２２とに第１および第２連続エレメント２６，２７を取り付ければよい。また、それら物品１Ａ，１Ｂでは、中央開口９が前胴周り域２と股下域３との横方向中央に形成されているが、中央開口９が後胴周り域４と股下域３との横方向中央に形成されていてもよい。
【００５６】
第１被覆部１０を形成する伸縮性繊維不織布２３には、メルトブローンやスパンボンドの各製法により製造されたものを使用することができる。伸縮性繊維不織布２３の構成繊維には、熱可塑性エラストマー樹脂を溶融、紡糸した伸縮性繊維を使用することができる。第１被覆部１０には、熱可塑性エラストマー樹脂繊維からなる伸縮性かつ疎水性繊維不織布の少なくとも片面に、ポリプロピレン、ポリエチレン、ポリエステルのいずれかの熱可塑性合成樹脂を溶融、紡糸した捲縮繊維からなる疎水性繊維不織布を重ね合わせた複合不織布を使用することもできる。
【００５７】
物品１Ａ，１Ｂや第１および第２被覆部１０，１２には、高い耐水性を有するメルトブローン法による繊維不織布の両面または片面に、高い強度と良好な柔軟性とを有するスパンボンド法による繊維不織布を重ね合わせた複合不織布（ＳＭ不織布、ＳＭＳ不織布、ＳＭＭＳ不織布）を使用することもできる。
【００５８】
物品１Ａ，１Ｂや第２被覆部１２を形成する繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。不織布の構成繊維には、芯鞘型複合繊維、並列型複合繊維、異型中空繊維、微多孔繊維、接合型複合繊維を使用することもできる。
【図面の簡単な説明】
【００５９】
【図１】前胴周り域の側から見た一例として示す着用物品の斜視図。
【図２】前胴周り域の側から見た一例として示す着用物品の斜視図。
【図３】後胴周り域の側から見た図１の物品の斜視図。
【図４】第１および第２エレメントとスライダーとを拡大して示す図。
【図５】係合状態にある第１および第２エレメントの断面図。
【図６】非係合状態にある第１および第２エレメントの断面図。
【図７】前胴周り域の側から見た他の一例として示す着用物品の斜視図。
【図８】前胴周り域の側から見た他の一例として示す着用物品の斜視図。
【図９】後胴周り域の側から見た図７の物品の斜視図。
【図１０】第１および第２エレメントとスライダーとを拡大して示す図。
【図１１】係合状態にある第１および第２エレメントの断面図。
【図１２】非係合状態にある第１および第２エレメントの断面図。斜視図。
【符号の説明】
【００６０】
１Ａ    着用物品
１Ｂ    着用物品
２    前胴周り域
３    股下域
４    後胴周り域
７    胴周り開口
８    脚周り開口
９    中央開口
１０    第１被覆部
１１    上方部分
１２    第２被覆部
１３    胴周り周縁部
１４    胴周り用弾性部材
１５    脚周り周縁部
１６    脚周り用弾性部材
１７    上端開口縁
１８    下端開口縁
１９    両側開口縁
２０    自由上端縁
２１    固定下端縁
２２    自由両側縁
２４    使い捨てパッド
２５    レールファスナー
２６    第１連続エレメント
２７    第２連続エレメント
２８    スライダー
【図１】
2005124594.tif 000003
【図２】
2005124594.tif 000004
【図３】
2005124594.tif 000005
【図４】
2005124594.tif 000006
【図５】
2005124594.tif 000007
【図６】
2005124594.tif 000008
【図７】
2005124594.tif 000009
【図８】
2005124594.tif 000010
【図９】
2005124594.tif 000011
【図１０】
2005124594.tif 000012
【図１１】
2005124594.tif 000013
【図１２】
2005124594.tif 000014